(57)【要約】【課題】ピアノ演奏等横移動作業を必要とする人が  容易に体を移動出来るようにした横方向スライド椅子を提供する。【解決手段】キャスター（１）を足元に設けた椅子（２）と、床に対して任意の固定手段を有し前記キャスターを横移動可能にガイドするレール（３）を設けたことを特徴とする。【選択図】１【特許請求の範囲】
【請求項１】
キヤスター（１）を足元に設けた椅子（２）と、床に対して任意の固定手段を有し前記キャスターを横移動可能にガイドするレール（３）とよりなる横方向スライド椅子。
【請求項２】
脚（１０）のついた、側板（９）によって固定され、基盤と一体となったコの字型横長レール（１１）の上に、移動可能な座部（６）を設けた横方向スライド椅子。
【発明の詳細な説明】
【発明の詳細な説明】
【技術分野】
【０００１】  この発明は  ピアノの演奏者等  横移動作業を必要とする人が容易に体を移動できるようにした横方向スライド椅子に関するものである。
【背景技術】
【０００２】  従来より  ピアノの椅子はキャスターを有しておらず  演奏者は椅子の位置から移動出来ないまま  鍵盤の端の方などは体をよじって弾かねばならなかった。【０００３】
【非特許文献１】  宇都宮誠一、家庭のピアノ実用百科／選び方からメインテナンスまで、１版、日本、株式会社音楽之友社、１９９５年８月１０日、６４−６５頁
【発明が解決しようとする課題】
【０００４】イ．演奏者が体をねじって弾くということは  演奏に必要な筋肉組織に負担がかかるため  その分  手、指のコントロールが難しくなる。
ロ．演奏者が体をねじって弾くということは  演奏に必要な筋肉組織に負担がかかるため  長時間の練習には不必要な疲労がつのり、技術修得の効率が悪くなる。
ハ．ピアノを使っての作曲の際も  無意識に体をねじって弾く状態を避けようとするため  使用する音域がピアノの中央に集中する傾向がある。
本発明は、以上の欠点を解決するためになされたものである。
【課題を解決するための手段】
【０００５】  キヤスター（１）を足元に設けた椅子（２）と、床に対して任意の固定手段を有し前記キャスターを横移動可能にガイドするレール（３）を設ける。
本発明は、以上の構成よりなる横方向スライド椅子である。
【発明を実施するための最良の形態】
【０００６】  以下、本発明の第一の実施の形態について  図１、２を用いて説明する。
本発明は椅子と、レール機構部材から構成されたものである。
図において、椅子（２）は４本の脚部を有するが、各脚部の下端には、それぞれキャスター（１）が設けられている。
レール構成部材としては、図１に示すように、移動範囲分の長さを有する板状の基盤（４）の後部側に横方向に複数のレール（３）が構成されている。
溝は図２に示すようにキャスター（２）のローラー部材の厚さに応じたもので、しきりとなる突起部を介して複数並設されている。レール（１）の両端は  キャスター（２）が脱線しないよう、レール（１）と同じ高さの部材がストッパー（５）として設けられている。
本発明は、以上の構成よりなり、これを使用するときは  図１に示すように、ピアノにたいして並行となるように基盤（４）を設置する。この際、ピアノ側にフラット表面部、後方にピアノに並行となるように複数の溝が位置するようになっている。この基盤（４）に対して、椅子の後２脚のキャスターが同じ溝にはまるようにし、前２脚のキャスターがフラット部に位置するようにする。
ピアノを演奏するときは、この鍵盤位置に合わせるように横方向に移動した上で演奏する。また、演奏者の体格、演奏スタイルにあわせて  キャスターがはまる位置を選び、前後位置を調整するようにする。
以下、本発明の第二の実施の形態について、図３、４を用いて説明する。
本事例においては  図４のように細かな複数の溝が単一のレール（３）に施されている。そして、それに合致する溝がキャスター（１）のローラー部材にも施されている。この溝同志が横移動の際の方向を決定する。つまりまっすぐに横移動を行うことができる。この手法を用いると、レールを目立たなく設置できるため、たとえば単独で催されるピアノのリサイタル等の時に、あらかじめ演奏者の好みの椅子の位置を測定しておき、その位置に合わせて  舞台の床面と似た色の  このレール（３）を設置すれば見た目もすっきりとした舞台を構成することが可能となる。
このタイプのレール（３）の部材には表面に図４に示すような深さ１ｍｍほどの細かな複数の溝を持つ、合成樹脂製のテープ状の物を用いる。床との設置法は両面テープ等の後々着脱可能な接着剤を用いる。この際のレールの端にはストッパーを設けず、演奏者の移動予想範囲の１３０％程の長さを貼ることにより脱線をさける。ストッパーがあった方が良いときには任意の方法によってレールの両端の溝をうめる。その方法としてはボンドを塗布する、テープを貼るなど既存の簡便で目立たない方法であれば何でも良い。
また、図５における実施例では、レール（３）が１つの溝を構成するものであり、この溝幅に近い幅の基盤（４）上に設けられている。この図５のレール部材はできるだけ厚みの少ないものを選び、任意の固定手段により床に固定される。固定手段としては、粘着材によるものであってもよいし、ネジにより固定するなど、利用に耐えられる既存の手段であれば良い。レール（３）の両端にはレールと同じ高さのストッパー（５）が設けられている。
図５に示す実施例を利用するときは、ピアノ位置に合わせ、演奏に適した位置に基盤を固定しこれに椅子のキャスターをはめて使用する。
図３、５の実施例の、溝にはめるキャスターに関しては、後脚部に限定されず前脚部のキャスターをはめることも可能である。
次に請求項２の実施例を図８、９、１０を用いて説明する。
本事例において、向かいあうように設置された二本一組の、基盤との一体形状をなすコの字型レール（１１）は側板（９）によって両端を固定され、４本の脚（１０）によって床から持ち上げられている。任意の昇降機能を有した座部（６）はキャスターベース（８）の上に設置され、そのキャスターベース（８）には上面部に小キャスター（７）、下面部にキャスター（１）が各４箇づつ図１０のように設置されている。上下、大小のキャスターを有するキャスターベース（８）はレール内におさまり、コの字型のレール部材がそれを覆っている。このコの字型の形状は、キャスターの脱線と、この椅子に座る人の  キャスター部に接触する事故を防止するためになされている。
小キャスター（７）は座部（６）の前後のがたつきを防ぐために設置されている。これを使用するときは  椅子自体のピアノに対する前後位置をきめた後  左右に移動しながら演奏する。図８、９、１０に示す実施例では  座部はサドル型をしており  演奏者の足の付け根に負担がかからないよう配慮がなされている。
図１１、１２、１３における実施例では  コの字型のレールは一本で  座部（６）は横向けに突出している。キャスター（１）、小キャスター（７）は図１２、１３に示すようにキャスターベース（８）に設置され、コの字型レール（１１）内におさまっている。小キャスター（７）は２箇に減少している。図８における実施例との違いは  この図１１の実施例の方が、座った時の回転角度を大きくとることができるため、ピアノ演奏者は  より自由な開放感を得ることができる。
【発明の効果】
【０００７】  本発明を使用することによって、ピアノの演奏者はピアノ前面中央に体の位置を固定されることなく  自由に演奏者の弾きやすい位置へ体を移動させてピアノを演奏することができる。また、別途、特許出願している  バー型ピアノペダルを併せて使用するとペダリングをしながら  手、指のコントロールを  より確実に素速く行うことが可能となる。また、筋肉に無駄な負担がかからないため演奏者が無駄に疲労することが無い。ピアノを用いての作曲にも長時間  高音部、あるいは低音部を使用するといった  新しい技巧を可能にする。
【図面の簡単な説明】
【図１】本発明の斜視図
【図２】本発明のレールの断面とキャスターを示した斜視図
【図３】本発明のレールを単一にし、レールとキャスターに細かい溝を施して移動方向の安定をはかったタイプのレールとキャスター付きの椅子の斜視図
【図４】本発明のレールを単一にし、レールとキャスターに細かい溝を施して移動方向の安定をはかったタイプのレールの断面図とキャスターの正面図
【図５】本発明のレールを単一にしたタイプのレールとキャスター付きの椅子の斜視図
【図６】本発明のレールを単一にしたタイプの基盤、レール、ストッパーの関係を拡大して示した斜視図
【図７】本発明のレールを単一にしたタイプのレールの断面とキャスターの正面図
【図８】本発明のレールを持ち上げ  椅子と一体化したタイプの斜視図
【図９】本発明のレールを持ち上げ  椅子と一体化したタイプのレールとキャスターの断面図
【図１０】本発明のレールを持ち上げ  椅子と一体化したタイプの分解斜視図
【図１１】本発明のレールを持ち上げ  椅子と一体化したタイプで  座部が横に突き出したタイプの斜視図
【図１２】本発明のレールを持ち上げ  椅子と一体化したタイプで  座部が横に突き出したタイプのレールの断面図
【図１３】本発明のレールを持ち上げ  椅子と一体化したタイプで  座部が横に突き出したタイプの  座部、キャスター、キャスターベースの状況を示す斜視図
【符号の説明】
１    キャスター
２    椅子
３    レール
４    基盤
５    ストッパー
６    座部
７    小キャスター
８    キャスターベース
９    側板
１０  脚
１１  コの字型レール
【図１】
2005040552.tif 000002
【図２】
2005040552.tif 000003
【図３】
2005040552.tif 000004
【図４】
2005040552.tif 000005
【図５】
2005040552.tif 000006
【図６】
2005040552.tif 000007
【図７】
2005040552.tif 000008
【図８】
2005040552.tif 000009
【図９】
2005040552.tif 000010
【図１０】
2005040552.tif 000011
【図１１】
2005040552.tif 000012
【図１２】
2005040552.tif 000013
【図１３】
2005040552.tif 000014